(57)【要約】【課題】導光設備が結合される浴室ユニットであって、洗濯物を効率よく乾燥させることができる浴室ユニットを提供する。【解決手段】光ダクト１０２によって屋外から光が導入される浴室ユニット１において、浴室ユニット１の天井４における浴槽２側の領域には、浴室ユニット内から空気を排出する排気口５が設けられており、天井４における洗い場３側の領域には、光ダクト１０２により導入された外光Ｌを洗い場３に向けて放光する放光口１１が設けられている。また、洗い場３に面したドア１７の下部には、浴室ユニット１内に空気を導入する吸気口２０が形成されている。更に、側壁１６における浴槽２側の領域には、浴槽２の直上域において物干竿１０５を保持するフック２２が取り付けられている。【選択図】図１
2008082086.tif 000002
【特許請求の範囲】
【請求項１】
屋外から光を導入する導光設備が結合される浴室ユニットであって、
前記浴室ユニット内に空気を導入する吸気口と、
前記吸気口から離隔して配置され前記浴室ユニット内から空気を排出する排気口と、
前記導光設備により導入された光を前記浴室ユニットにおける前記吸気口側の部分に向けて放光する放光口と、
前記浴室ユニットにおける前記排気口側の部分に洗濯物を保持する保持手段と、
を備えたことを特徴とする浴室ユニット。
【請求項２】
前記吸気口は、前記浴室ユニットにおける洗い場側の部分に設けられており、
前記排気口は、前記浴室ユニットにおける浴槽側の部分に設けられており、
前記放光口は、前記光を前記洗い場に向けて放光し、
前記保持手段は、前記浴槽側の部分に設けられている
ことを特徴とする請求項１記載の浴室ユニット。
【請求項３】
前記排気口は、前記浴室ユニットの天井における前記浴槽の直上域に相当する領域に配置されており、
前記吸気口は、前記浴室ユニットのドアの下部に形成されている
ことを特徴とする請求項２記載の浴室ユニット。
【請求項４】
前記保持手段は、前記浴槽の直上域において物干竿を保持する１対のフックであることを特徴とする請求項２または３に記載の浴室ユニット。
【発明の詳細な説明】
【技術分野】
【０００１】
本発明は、浴室ユニットに関し、特に、屋外から光を導入する導光設備が結合される浴室ユニットに関する。
【背景技術】
【０００２】
従来より、一般の家庭においては、洗濯物は屋外に干して乾燥させていた。しかしながら、この方法では、雨天の日には洗濯物を干すことができないという問題がある。また、晴天の日でも、洗濯物を屋外に干したまま外出すると、にわか雨などで洗濯物が濡れてしまうことがある。
【０００３】
このため近年、温風を吹き出しながら排気を行う換気乾燥機を浴室に設け、浴室内に洗濯物を干すことが広く行われている。通常、換気乾燥機の吸排気口は浴室の天井における浴槽側の領域に設けられている。また、通常、作業者が洗い場に立って洗濯物の懸吊作業及び取込作業を行えるように、洗濯物をかける物干し竿も浴槽の上方に配置されている。従って、換気乾燥機を備えた浴室においては、換気乾燥機から吹き出される温風を洗濯物に直接吹き付けて乾燥させることができる。
【０００４】
しかしながら、換気乾燥機はヒーターを使用しているため、使用すると電気代がかかるという問題がある。また、洗濯物の上部は温風が当たりやすく乾きやすいものの、洗濯物の下部は温風が当たりにくく乾きにくいという問題がある。
【０００５】
一方、近年、住宅等の建築物に光ダクトを設ける技術が開発されている。光ダクトとは、建築物の屋外から屋内まで連通し、その内面が光反射面となった筒状の部材であり、屋外の自然光を屋内に導入するものである。建築物にこのような光ダクトを設けることにより、日中の豊富な自然光を室内の照明に利用することができるため、照明コストを節約し、省エネルギー効果及び環境負荷軽減効果を得ることができる。また、室内に自然光を導入することにより、室内の居住性を向上させることができる。
【０００６】
特許文献１には、浴室ユニットに連通された排気ダクトの内部に光ダクトを設けることにより、浴室ユニットに光ダクトを結合する技術が開示されている。この技術においては、排気ダクトの内部に光ダクトを収納しているため、光ダクトにより導入された外光を浴室ユニット内に放光する放光口は、浴室ユニット内の空気を排気ダクトに導入する排気口の内部に設けられるか、又は排気口に隣接して設けられる。通常、排気口は浴室ユニットの天井における浴槽側の領域に設けられているため、光ダクトの放光口も、浴槽側に設けられることになる。
【０００７】
このため、特許文献１に記載された浴室ユニットにおいて、浴槽の上方に洗濯物を干せば、洗濯物に上方から自然光を照射することができ、洗濯物の乾燥をある程度促進することができる。しかしながら、この場合も、洗濯物の上部は光が当たりやすく乾きやすいものの、洗濯物の下部は光が当たりにくく乾きにくいという問題がある。
【０００８】
【特許文献１】実開昭６０−０３３２４０号公報
【発明の開示】
【発明が解決しようとする課題】
【０００９】
本発明の目的は、導光設備が結合される浴室ユニットであって、洗濯物を効率よく乾燥させることができる浴室ユニットを提供することである。
【課題を解決するための手段】
【００１０】
本発明の一態様によれば、屋外から光を導入する導光設備が結合される浴室ユニットであって、前記浴室ユニット内に空気を導入する吸気口と、前記吸気口から離隔して配置され前記浴室ユニット内から空気を排出する排気口と、前記導光設備により導入された光を前記浴室ユニットにおける前記吸気口側の部分に向けて放光する放光口と、前記浴室ユニットにおける前記排気口側の部分に洗濯物を保持する保持手段と、を備えたことを特徴とする浴室ユニットが提供される。
【発明の効果】
【００１１】
本発明によれば、導光設備によって屋外から光が導入され、洗濯物を効率よく乾燥させることができる浴室ユニットを実現することができる。
【発明を実施するための最良の形態】
【００１２】
以下、図面を参照しつつ本発明の実施形態について説明する。  
図１は、本実施形態に係る浴室ユニットを例示する側方から見た断面図であり、  
図２は、この浴室ユニットを例示する上方から見た断面図である。
【００１３】
図１及び図２に示すように、本実施形態に係る浴室ユニット１は、建築物１０１内に設置されている。建築物１０１は例えば一般住宅である。建築物１０１には導光設備としての光ダクト１０２が配設されている。光ダクト１０２は、建築物１０１の屋根又は外壁から浴室ユニット１の天井まで延設されており、内部は中空であり、内面は光反射面とされており、両端は光学的に開口されている。光反射面とは、例えば鏡面又は白色面であり、例えば、アルミニウム若しくはステンレスなどの金属面、又はこれらの金属面の表面に酸化アルミニウム若しくは樹脂などの被覆層が積層された面とすることができる。これにより、光ダクト１０２は、建築物１０１の外部から外光Ｌを導入し、この外光Ｌをその内面において繰り返し反射しつつ、浴室ユニット１まで導くことができる。
【００１４】
浴室ユニット１においては、床の一方の側に浴槽２が設けられており、他方の側が洗い場３となっている。浴室ユニット１における浴槽２側の部分、すなわち、浴槽２の直上域に相当する部分、例えば、天井４における浴槽２の直上域に相当する領域には、排気口５が設けられている。また、天井４上における排気口５の直上域には、排気口５に連通された排気装置６が設けられており、排気装置６には排気管１０４が接続されている。これにより、排気口５は排気装置６及び排気管１０４を介して建築物１０１の外部に連通されている。そして、排気装置６が作動することにより、排気口５は浴室ユニット１内の空気を建築物１０１の外部に排出することができる。
【００１５】
また、浴室ユニット１における洗い場３側の部分、すなわち、洗い場３の直上域に相当する部分、例えば、天井４における洗い場３の直上域に相当する領域には、放光口１１が形成されている。放光口１１は、光ダクト１０２と光学的に結合された開口部であり、透光板１２がはめ込まれている。また、天井４の下面における放光口１１の直下域には、ブラケット１３が取り付けられている。ブラケット１３は、光を拡散させながら透過させる透光材料、例えば乳白色の樹脂材料からなり、下方に凸になるように配置されたドーム状の部分を持つ部材である。これにより、光ダクト１０２により建築物１０１の外部から導入された外光Ｌは、放光口１１の透光板１２を通過し、ブラケット１３を通過して拡散されつつ、洗い場３に向けて放光される。
【００１６】
更に、浴室ユニット１の側壁１６は、洗い場３に面した領域の一部、例えば、浴槽２に対向する面の片側の領域が開口されており、ドア１７が設けられている。すなわち、ドア１７は浴室ユニット１における洗い場３側の部分に設けられている。ドア１７は例えば脱衣室に通じている。ドア１７の下部にはガラリ１８が形成されており、吸気口となっている。すなわち、ドア１７の下部は開口されており、この開口部に複数枚の板１９が相互に平行に且つ離隔して設けられている。板１９は、例えば、浴室ユニット１の外部側が高く、内部側が低くなるように、水平方向に対して傾斜して配置されている。そして、板１９間が吸気口２０となっている。吸気口２０は、外部から浴室ユニット１内に空気を導入するものである。
【００１７】
更にまた、浴室ユニット１における浴槽２側の部分には、１対のフック２２が設けられている。フック２２は、物干竿１０５の両端部を着脱可能に支持し、これにより、物干竿１０５を両持梁状に保持するものである。フック２２は、例えば、側壁１６における浴槽２の頭側及び足側に相当する領域の上部に取り付けられており、物干竿１０５を、浴槽２の直上域であって排気口５の直下域を通過するように保持する。物干竿１０５には、ハンガー１０６を介して、洗濯物１０７が吊り下げられる。すなわち、１対のフック２２は、浴室ユニット１における排気口５側の部分に洗濯物１０７を保持する保持手段である。なお、排気口５側の部分とは、排気口５の中心からの距離と吸気口２０の中心からの距離が等しい仮想平面よりも排気口５側の部分であり、吸気口２０側の部分とは、この仮想平面よりも吸気口２０側の部分である。
【００１８】
次に、本実施形態に係る浴室ユニットの動作について説明する。  
浴槽ユニット１においては、１対のフック２２間に物干竿１０５が保持されており、この物干竿１０５にハンガー１０６を介して洗濯物１０７が吊り下げられているものとする。
【００１９】
この状態で、排気装置６を作動させることにより、浴室ユニット１内の空気が、排気口５、排気装置６及び排気管１０４を介して、建築物１０１の外部に排気される。このとき、排気された空気を埋め合わせるように、ドア１７の下部に形成された吸気口２０を介して、浴室ユニット１の外部から空気が流入する。これにより、吸気口２０から排気口５に向かう気流Ｗが発生する。
【００２０】
一方、建築物１０１の外部から外光Ｌ、例えば太陽光が光ダクト１０２の内部に導入され、光ダクト１０２の内面によって繰り返し反射されながら光ダクト１０２内を伝達し、放光口１１を介して浴室ユニット１内に導入され、透光板１２及びブラケット１３を介して洗い場３に向けて放光される。洗い場３に向けて放光された外光Ｌの一部は、外光Ｌの光路上に介在する空気、すなわち、洗い場３の直上域の空気を直接暖める。また、外光Ｌの残部は、洗い場３の床面を暖め、暖められた床面が、洗い場３の直上域の空気を暖める。このように、放光口１１は、光ダクト１０２により導入された外光Ｌを、浴室ユニット１における吸気口２０側の部分に向けて放光する。
【００２１】
この結果、吸気口２０から導入された気流Ｗは、主として洗い場３の床面近くで外光Ｌによって直接的に、又は外光Ｌによって暖められた床面から熱交換されることにより間接的に暖められる。これにより、気流Ｗの温度が上昇すると共に、相対湿度が低下する。その後、気流Ｗは、浴槽２側に向かうと共に上方に向かい、洗濯物１０７が懸吊されている領域を通過する。このとき、気流Ｗは、洗濯物１０７に下方及び側方から吹き付け、洗濯物１０７の全体に接触すると共に内部を通過し、洗濯物１０７から水分を奪い、乾燥させる。そして、水分を含んだ気流Ｗは排気口５に到達し、排気装置６によって排気される。すなわち、浴室ユニット１内の気流Ｗは、その上流側部分において外光Ｌによって暖められると共に乾燥され、下流側部分において洗濯物１０７を乾燥させた後、排気装置６によって外部に排気される。
【００２２】
次に、本実施形態の効果について説明する。  
本実施形態においては、洗い場３において外光Ｌにより空気を暖めて乾燥させ、この空気を浴槽２側の部分に干された洗濯物に接触させることにより、洗濯物を乾燥させる。このように、本実施形態においては人工的なヒーターなどを使用しないため、電気代をかけずに洗濯物を乾燥させることができる。
【００２３】
なお、放光口を浴槽側に設け、外光を洗濯物に直接照射して乾燥させる場合には、洗濯物の上部は外光が照射されて乾燥が進むものの、洗濯物の下部は外光が照射されにくく、乾燥が進みにくい。また、洗濯物の上部、すなわち外光照射部分の近傍の空気は暖められるものの、暖められた空気はそのまま排気口から排出されてしまい、洗濯物の下部には回り込みにくい。このため、暖められた空気によって洗濯物の下部の乾燥が促進されることもない。すなわち、外光によって導入された熱量の大部分は、排気口から空気と共に排出されてしまい、洗濯物の乾燥に関して有効に利用されない。
【００２４】
これに対して、本実施形態によれば、外光によって一旦暖かくて乾いた空気を作り出し、この空気により洗濯物を包み込むようにして洗濯物を乾燥させているため、乾き方にムラがない。これにより、洗濯物を干してから取り込むまでの時間を短縮することができる。また、本実施形態によれば、洗濯物が直射日光によって損傷を受けることがない。更に、外光によって暖められた空気が浴室ユニット内全体に行き渡るため、浴室ユニット自体も素早く乾燥させることができる。
【００２５】
また、本実施形態においては、排気口５を天井４に形成し、吸気口２０をドア１７の下部に形成しているため、排気口５と吸気口２０とを上下方向に大きく離隔して配置することができる。これにより、浴室ユニット１内における気流Ｗの長さが長くなり、空気が洗い場３の近傍に滞在する時間が長くなるため、空気を確実に暖めることができる。また、気流Ｗに洗い場３の床面近くを通過させることができるため、床面と空気との間の熱交換効率を向上させることができる。更に、気流Ｗに浴室内の大きな領域を通過させることができるため、洗濯物をより均一に乾燥させることができると共に、浴室ユニット自体も効率的に乾燥させることができる。
【００２６】
更に、排気装置６の動作モードとして、「通常換気モード」の他に、この「通常換気モード」よりも低い流量で常時換気を行う「２４時間換気モード」が設定されている場合には、この「２４時間換気モード」で排気装置６を動作させることにより、気流Ｗの平均速度を小さくし、洗い場３において空気を確実に暖めることができる。この結果、乾燥効率がより一層向上する。また、「２４時間換気モード」で排気装置６を動作させ続けておけば、通常の排気装置のように、使用者が洗濯物を干したときに排気装置のスイッチを入れたり、洗濯物が乾いたタイミングを見計らってスイッチを切ったりする必要がなく、また、従来の換気乾燥機のようにタイマーを設定する必要がない。このため、手間がかからない。
【００２７】
次に、本実施形態の変形例について説明する。  
図３は、本変形例に係る浴室ユニットを例示する上方から見た断面図である。  
図３に示すように、本変形例に係る浴室ユニット１ａにおいては、ドア１７が側壁１６における浴槽２の長手方向の一方側の領域、例えば、浴槽２の頭側の領域に設けられている。この場合においても、前述の実施形態と同様に、ドア１７の吸気口２０から天井４に設けられた排気口５に至る気流Ｗを形成することができ、同様な効果を得ることができる。本変形例における上記以外の構成、動作及び効果は、前述の実施形態と同様である。
【００２８】
以上、本発明の実施形態及びその変形例を参照しつつ、本発明の特徴を説明した。しかし、本発明はこれらの実施形態及び変形例に限定されるものではない。すなわち、上述の実施形態又は変形例に係る浴室ユニットを構成するいずれかの要素について当業者が適宜追加、省略又は設計変更を加えたものであっても、本発明の要旨を備えたものであれば、本発明の範囲に包含される。例えば、前述の実施形態及び変形例においては、屋外から浴室ユニット内に外光を導入する導光設備が光ダクトである例を示したが、本発明はこれに限定されず、導光設備は例えば光ファイバであってもよい。また、吸気口は必ずしも浴室ユニットのドアに形成されていなくてもよく、浴室ユニットの側壁の一部に、ドアとは別に設けられていてもよく、窓などに設けられていてもよい。更に、浴室ユニットには必ずしも専用の排気装置が設けられている必要はなく、排気口は、建築物自体に設けられた排気装置に接続されていてもよい。更にまた、保持手段はフックに限定されず、洗濯物を排気口側の部分において保持できればよい。
【図面の簡単な説明】
【００２９】
【図１】本発明の実施形態に係る浴室ユニットを例示する側方から見た断面図である。
【図２】本実施形態に係る浴室ユニットを例示する上方から見た断面図である。
【図３】本実施形態の変形例に係る浴室ユニットを例示する上方から見た断面図である。
【符号の説明】
【００３０】
１、１ａ  浴室ユニット、２  浴槽、３  洗い場、４  天井、５  排気口、６  排気装置、１１  放光口、１２透光板、１３  ブラケット、１６  側壁、１７  ドア、１８  ガラリ、１９  板、２０  吸気口、２２  フック、１０１  住宅、１０２  光ダクト、１０４  排気管、１０５  物干竿、１０６  ハンガー、１０７  洗濯物、Ｌ  外光、Ｗ  気流
【図１】
2008082086.tif 000003
【図２】
2008082086.tif 000004
【図３】
2008082086.tif 000005